(57)【要約】【課題】  移動効率が高い伸縮式カバーを提供する。【解決手段】  伸縮式カバーは、大きさが漸減する複数の筐体１、２、３、４を大きさの順に重ねることによって構成されている。筐体１、２、３、４は、相互に向かい合う一対の板体と、一対の板体のうち一方および他方の中央から他方側および一方側に延びるスリーブ管とを有する。板体は、当該板体が構成する筐体よりも一段階小さい筐体のスリーブ管に被さり、スリーブ管は、当該スリーブ管よりも一段階小さいスリーブ管との間に格納空間を形成する。格納空間は、内部に少なくとも二つのスライドできる弾性復元機構を有する。【選択図】  図１
2013163259.tif 000002
【特許請求の範囲】
【請求項１】
大きさが漸減する複数の筐体を大きさの順に重ねることによって構成され、
前記筐体は、相互に向かい合う一対の板体と、一対の前記板体のうち一方および他方の中央から他方側および一方側に延びるスリーブ管とを有し、
前記板体は、当該板体が構成する筐体よりも一段階小さい筐体のスリーブ管に被さり、
前記スリーブ管は、当該スリーブ管よりも一段階小さいスリーブ管との間に格納空間を形成し、
前記格納空間は、内部に少なくとも二つのスライドできる弾性復元機構を有することを特徴とする伸縮式カバー。
【請求項２】
前記弾性復元機構は、弾性ユニット、磁性体または緩衝材から構成されていることを特徴とする請求項１に記載の伸縮式カバー。
【請求項３】
前記弾性ユニットは、少なくとも一つのスプリングまたは弾性片から構成されていることを特徴とする請求項２に記載の伸縮式カバー。
【請求項４】
前記弾性ユニットの一端は、前記格納空間を形成する二つの前記スリーブ管の一方に固定されていることを特徴とする請求項３に記載の伸縮式カバー。
【請求項５】
前記弾性片は、Ｚ字型であることを特徴とする請求項４に記載の伸縮式カバー。
【請求項６】
前記弾性ユニットは、相互に重なる二つの弾性片から構成され、
二つの前記弾性片は、両端が相互に固定され、
二つの前記弾性片のうち一方は、前記格納空間を形成する二つの前記スリーブ管の一方に固定されていることを特徴とする請求項３に記載の伸縮式カバー。
【請求項７】
前記弾性ユニットは、二つの前記弾性片のうち他方に固定されている複数のスライドユニットを有し、
前記格納空間は、前記格納空間を形成する二つの前記スリーブ管の他方に固定されているスライドレールを有し、
前記スライドユニットは、前記スライドレールに装着されていることを特徴とする請求項６に記載の伸縮式カバー。
【請求項８】
前記弾性復元機構は、相互に向かい合う一対の磁性体から構成され、
一対の前記磁性体の一方および他方は、前記格納空間を形成する二つの前記スリーブ管の一方および他方に固定されていることを特徴とする請求項２に記載の伸縮式カバー。
【請求項９】
一対の前記磁性体は、相互に向かい合う面の極性が同じであることを特徴とする請求項８に記載の伸縮式カバー。
【請求項１０】
前記板体は、外周部を屈折させて形成した斜辺を有することを特徴とする請求項５、請求項６または請求項８に記載の伸縮式カバー。
【請求項１１】
前記板体および前記スリーブ管は、相互に対応する方形、円形または多辺形に形成されていることを特徴とする請求項９に記載の伸縮式カバー。
【発明の詳細な説明】
【技術分野】
【０００１】
本発明は、伸縮式カバーに関する。
【背景技術】
【０００２】
加工時に出る屑が工作機器内に落下して操作および安全に影響を与えるような事態を防止することによって工作機器の使用寿命を大幅に延ばすため、および、加工効率および操作の安全性を向上させるため、様々なカバーが考案されている。よく見掛けられているカバーは伸縮式および固定式である。特に伸縮式カバーは、設置するための空間が少ないだけでなく、ツールヘッドが移動することによって加工を進める工作機器を保護することができる。そのうち、複数の伸縮式カバーを結合させること、すなわち工作機器のツールヘッドの前後に伸縮式カバーを配置し、続いてその左右に伸縮式カバーを配置することによって、多方向移動に対応する方式がある。
【先行技術文献】
【特許文献】
【０００３】
【特許文献１】特開２００９−２４８２６３号公報
【発明の概要】
【発明が解決しようとする課題】
【０００４】
しかしながら、複数の伸縮式カバーを結合させる方式は、設計上の構築および配置が比較的複雑である。さらに、極座標に達するには、水平に移動し続いて垂直に移動するか、垂直に移動し続いて水平に移動する必要があるため、移動進行が単純であり、移動効率が低い。従って改善の余地がある。
本発明は、上述の点に鑑みてなされたものであり、その目的は、移動効率が高い伸縮式カバーを提供することである。
【課題を解決するための手段】
【０００５】
本発明による伸縮式カバーは、大きさが漸減する複数の筐体を大きさの順に重ねることによって構成されている。筐体は、相互に向かい合う一対の板体と、一対の板体のうち一方および他方の中央から他方側および一方側に延びるスリーブ管とを有する。板体は、当該板体が構成する筐体よりも一段階小さい筐体のスリーブ管に被さり、スリーブ管は、当該スリーブ管よりも一段階小さいスリーブ管との間に格納空間を形成している。格納空間は、内部に少なくとも二つのスライドできる弾性復元機構を有する。
【０００６】
上述した構造により、本発明は、最も小さいスリーブ管内にツールヘッド（例えばカッターヘッド、固定工具ヘッド）または可動ユニットを格納し、それらを迅速に移動させると同時に保護効果を果たすことができるだけでなく、単一の移動方式に限らず、移動を多元化することができるため、移動効率がよい。また本発明は、弾性復元機構によってスピーディーな移動が進む際に緩衝および保護機能を果たすことができる。
【図面の簡単な説明】
【０００７】
【図１】本発明の第１実施形態による伸縮式カバーを示す斜視図である。
【図２】本発明の第１実施形態による伸縮式カバーの筐体を示す斜視図である。
【図３】本発明の第１実施形態による伸縮式カバーの側面図である。
【図４】本発明の第１実施形態による伸縮式カバーの弾性復元機構の一部分を示す断面図である。
【図５】本発明の第１実施形態による伸縮式カバーの中心の筐体を左に作動させた状態を示す断面図である。
【図６】本発明の第１実施形態による伸縮式カバーの中心の筐体を左上に作動させた状態を示す断面図である。
【図７】本発明の第１実施形態による伸縮式カバーをツールヘッドに装着した状態を示す斜視図である。
【図８】本発明の第１実施形態による伸縮式カバーの中心の筐体を左下に移動させた状態を示す斜視図である。
【図９】本発明の第１実施形態による伸縮式カバーの中心の筐体を上に移動させた状態を示す斜視図である。
【図１０】本発明の第１実施形態による伸縮式カバーの中心の筐体を右下に移動させた状態を示す模式図である。
【図１１】本発明の第２実施形態による伸縮式カバーの弾性復元機構の一部分を示す模式図である。
【図１２】本発明の第３実施形態による伸縮式カバーの弾性復元機構の一部分を示す模式図である。
【図１３】本発明の第４実施形態による伸縮式カバーのスリーブ管の一部分を示す模式図である。
【図１４】本発明の第５実施形態による伸縮式カバーの弾性復元機構の一部分を示す断面図である。
【図１５】本発明の第６実施形態による伸縮式カバーの弾性復元機構の一部分を示す断面図である。
【図１６】本発明の第７実施形態による伸縮式カバーの弾性復元機構の一部分を示す断面図である。
【発明を実施するための形態】
【０００８】
以下、本発明の複数の実施形態を図面に基づいて説明する。実施形態同士で実質的に同一の構成には同一の符号を付して説明を省略する。
（第１実施形態）
図１から図４に示すように、本発明の第１実施形態による伸縮式カバーは、大きさが漸減する複数の筐体１、２、３、４を大きさの順に重ねることによって構成され、かつ階段状を呈する。
【０００９】
筐体１、２、３、４は、相互に向かい合う一対の多辺形の板体１１、２１、３１、４１と、板体１１、２１、３１、４１の中央から一側に垂直に延びている中空のスリーブ管１２、２２、３２、４２とを有する。スリーブ管１２、２２、３２、４２は、口部が筐体１、２、３、４の板体１１、２１、３１、４１に対応する多辺形を呈し、口径が漸減する。一方、板体１１、２１、３１、４１は、外周部を屈折させて形成した斜辺１１１、２１１、３１１、４１１を有する。
【００１０】
筐体２の板体２１の外径は、下方の筐体１のスリーブ管１２の外径より大きい。筐体３の板体３１の外径は、下方の筐体２のスリーブ管２２の外径より大きい。筐体４の板体４１の外径は、下方の筐体３のスリーブ管３２の外径より大きい。また筐体２、３、４の板体２１、３１、４１の外径は、筐体１、２、３のスリーブ管１２、２２、３２の外径より大きい。
【００１１】
筐体１に筐体２、３、４を順に装着すると、筐体２、３、４の板体２１、３１、４１は順に筐体１、２、３のスリーブ管１２、２２、３２の開口部１２１、２２１、３２１に被さり、二つのスリーブ管１２、２２、３２、４２の周りの間に格納空間１３、２３、３３が形成される。
【００１２】
格納空間１３、２３、３３は、内部に少なくとも二つの弾性復元機構５を有する。弾性復元機構５は、例えばスプリングまたは弾性片からなる弾性ユニット５０から構成されている。本実施形態では、弾性ユニット５０はＺ字型の弾性片であり、少なくとも一端が格納空間１３、２３、３３内のスリーブ管２２、３２、４２内側に固定されて固定部５１となり、他端がスリーブ管１２、２２、３２の外側に接触する浮動部５２となるが、これに限らない。本発明は固定部５１と浮動部５２の配置位置を入れ替えてもよい。或いはあらゆる端部を固定状態または浮動状態に設計してもよい。
【００１３】
図５から図１０に示すように、本実施形態を使用するとき、筐体４のスリーブ管４２内に可動ユニット、例えばツールヘッド（カッターヘッド、固定工具ヘッド）または別のユニットを格納し、筐体１を平台として固定する。ツールヘッドが移動すると、スリーブ管１２を連動させ、かつスリーブ管２２へ移動させ、続いて相互に繋がるユニットへ順に移動させる。ツールヘッドが単方向または多方向（３６０度）に任意に移動する際、筐体２、３、４はツールヘッドに連動することによって保護機能を果たすことができる。弾性復元機構５は緩衝および保護機能を果たすため、スピーディーな移動を進めることができるだけでなく、衝撃を受けて損壊するような事態を抑制することができる。
【００１４】
（第２実施形態）
本発明の第２実施形態では、図１１に示すように、弾性復元機構５は、弧状の弾性片から構成されている。第２実施形態によれば、第１実施形態と同様の効果を得ることができる。
【００１５】
（第３実施形態）
本発明の第３実施形態では、図１２に示すように、弾性復元機構５は、屈折状の弾性片から構成されている。第３実施形態によれば、第１実施形態と同様の効果を得ることができる。
【００１６】
（第４実施形態）
本発明の第４実施形態では、図１３に示すように、筐体１、２、３、４およびスリーブ管１１、２１、３１、４１は、形が円筒状である。第４実施形態によれば、第１実施形態と同様の効果を得ることができる。
【００１７】
（第５実施形態）
本発明の第５実施形態では、図１４に示すように、弾性復元機構５は緩衝材５０’（例えば発泡スチロール）から構成されている。第５実施形態によれば、第１実施形態と同様の効果を得ることができる。
【００１８】
（第６実施形態）
本発明の第６実施形態では、図１５に示すように、弾性復元機構５は、相互に向かい合って反発する二つの磁性体５０”から構成されている。磁性体５０”はペアで格納空間１３のスリーブ管１２の外側およびスリーブ管２２の内側と、格納空間２３のスリーブ管２２の外側およびスリーブ管３２の内側と、格納空間３３のスリーブ管３２の外側およびスリーブ管４２の内側に装着されている。スリーブ管１２の外側とスリーブ管２２の内側上の相互に向かい合う二つの磁性体５０”と、スリーブ管２２の外側とスリーブ管３２の内側上の相互に向かい合う二つの磁性体５０”と、スリーブ管３２の外側とスリーブ管４２の内側上の相互に向かい合う二つの磁性体５０”とは極性が同じであるため、相互に反発することによって筐体２、３、４を自動的に復元させることができる。
【００１９】
（第７実施形態）
本発明の第７実施形態では、図１６に示すように、弾性ユニット５０は二つの重なる弾性片５０ａから構成される。弾性片５０ａは両端が相互に固定され、外側が格納空間１３、２３、３３内の相互に向かい合う両側のうちの一つに固定され、かつ別の外側に複数のスライドユニット５３を有する。格納空間１３、２３、３３は内部の別の一側にスライドレール５４を有する。
【符号の説明】
【００２０】
１    ：筐体
１２  ：スリーブ管
１１  ：板体
１１１：斜辺
１２１：開口部
２    ：筐体
２２  ：スリーブ管
２１  ：板体
２１１：斜辺
２２１：開口部
３    ：筐体
３２  ：スリーブ管
３１  ：板体
３１１：斜辺
３２１：開口部２
４    ：筐体
４２  ：スリーブ管
４１  ：板体
４１１：斜辺
５    ：弾性復元機構
５０  ：弾性ユニット
５０’：緩衝材
５０”：磁性体
５０ａ：弾性片
５１  ：固定部
５２  ：浮動部
５３  ：スライドユニット
５４  ：スライドレール
１３  ：格納空間
２３  ：格納空間
３３  ：格納空間
【図１】
2013163259.tif 000003
【図２】
2013163259.tif 000004
【図３】
2013163259.tif 000005
【図４】
2013163259.tif 000006
【図５】
2013163259.tif 000007
【図６】
2013163259.tif 000008
【図７】
2013163259.tif 000009
【図８】
2013163259.tif 000010
【図９】
2013163259.tif 000011
【図１０】
2013163259.tif 000012
【図１１】
2013163259.tif 000013
【図１２】
2013163259.tif 000014
【図１３】
2013163259.tif 000015
【図１４】
2013163259.tif 000016
【図１５】
2013163259.tif 000017
【図１６】
2013163259.tif 000018